(57)【要約】【課題】本発明は、ユーザによる簡単な作業によって詳細情報が提供され得るようになされた新規な情報適用システムを提供することを目的とする。【解決手段】リアル媒体２に掲示された各地理的表示（２ａ、２ｂ、２ｃ・・・）に、それぞれの内容に応じて付与された個別の検索コード２０を併記するとともに、情報提供サーバ３に備えられた登録手段３１に、複数のウェブページの位置情報３１２を検索コード２０に関連付けて登録し、ネットワークＮＷを介して前記情報提供サーバ３に接続可能にするソフトウェア４１が備えられた携帯端末４を用いて検索コード２０を送信すれば、前記情報提供サーバ３から位置情報３１２が送信されて、該当する位置情報３１２にアクセスできるようにする。【選択図】図1
2017117060.tif 000002
【特許請求の範囲】
【請求項１】
案内板や掲示板等の表示物又は紙媒体から選択されたリアル媒体と、
情報提供サーバと、
携帯端末と、
を具備してなり、
前記リアル媒体に掲示された一ないし複数の地理的表示各々に関する観光案内や道案内等の詳細情報が掲載されたウェブページを前記携帯端末の画面に表示する情報提供システムであって、
前記リアル媒体に掲示された各地理的表示に、それぞれの内容に応じて付与された個別の検索コードが併記されてなり、
前記情報提供サーバに備えられた登録手段に、複数のウェブページの位置情報が、各ウェブページに掲載されている詳細情報の内容に応じて決定された検索コードに関連付けて登録され、前記情報提供サーバに備えられた制御手段が、前記携帯端末から送信された検索コードに関連付けられた位置情報を前記携帯端末に送信する仕組みとなされ、
前記携帯端末に、ネットワークを介して前記情報提供サーバに接続可能とするソフトウェアが備えられてなり、
前記ソフトウェアが、
前記携帯端末の画面に検索コードを入力するための入力画面を表示し、
検索コードの入力後、自動的又は送信命令に応じて検索コードを前記情報提供サーバに送信し、
前記情報提供サーバから位置情報が送信された場合には、該当する位置情報にアクセスし、取得したウェブページを前記携帯端末の画面に表示するようにプログラムされてなることを特徴とする情報提供システム。
【請求項２】
請求項１に記載の情報提供システムにおいて、
前記情報提供サーバの登録手段には、一の詳細情報を複数の言語に翻訳することによって作成された複数のウェブページ各々の位置情報が同一の検索コードに紐づけて登録されており、
前記情報提供サーバの制御手段が、前記携帯端末から送信された検索コードに紐づけて登録されている各位置情報の中から、前記携帯端末に設定されている言語条件及び地域条件のうちの一方の条件を第一の手がかりとして位置情報を抽出し、
抽出された位置情報が一つの場合、抽出された位置情報を前記携帯端末に送信し、
抽出された位置情報が複数の場合、前記携帯端末に設定されている言語条件及び地域条件のうちの残りの一方の条件を第二の手がかりとして一つの位置情報を選択し、前記携帯端末に送信する情報提供システム。
【請求項３】
請求項１又は２に記載の情報提供システムにおいて、
前記検索コードが複数のアラビア数字の組み合わせからなる情報提供システム。
【請求項４】
請求項３に記載の情報提供システムにおいて、
前記携帯端末の送話部を通じての音声入力による検索コードの入力も受け付け得るように前記ソフトウェアがプログラムされてなる情報提供システム。
【発明の詳細な説明】
【技術分野】
【０００１】
本発明は、案内板や掲示板等の表示物又は紙媒体から選択されたリアル媒体に掲示された地理的表示に関する観光案内や道案内等の詳細情報が掲載されたウェブページを携帯端末の画面に表示する情報提供システムに関する。
【背景技術】
【０００２】
インターネットの普及に伴い、ウェブページ等の媒体は「ウェブ媒体」と称され、従来からある案内板や掲示板等の表示物、又はパンフレットなどの紙媒体は「リアル媒体」と称されるようになってきている。
【０００３】
前記ウェブ媒体は、インターネット上の仮想空間に情報を配置することができることから、供給できる情報量が非常に多いといった利点を有する。しかしながら、係る情報を得るためには、その情報を掲載したウェブページの位置情報（ＵＲＬやＩＰアドレス）を知っている必要がある。目的とするウェブページの位置情報を知らない場合には、検索エンジン等を利用して位置情報を検索する必要がある。
【０００４】
一方、前記リアル媒体は、伝えたい情報（文字・写真・図表その他すべて）を、決められた枠（紙面）の中に納める必要があることから、供給できる情報量には限りがある。しかしながら、前記リアル媒体のうち案内板や掲示板等は、観光地などにおいて主要な位置に配置されており、又、パンフレット等の紙媒体も入手しやすいように配慮されていることから、速やかな情報の提供という観点からは依然利便性が高いツールといえる。
【０００５】
そのため、リアル媒体に掲示されている情報を手がかりとして、情報提供サーバに蓄積された詳細情報を入手し得るようになされた情報提供システムが開発されている（例えば、下記特許文献１参照。）。
【先行技術文献】
【特許文献】
【０００６】
【特許文献１】特開２００３‐２４８６９８号公報
【発明の概要】
【発明が解決しようとする課題】
【０００７】
前記特許文献１に記載の情報適用システムは、情報提供サーバに検索コードと関連付けて詳細情報が登録されており、リアル媒体を見たユーザが、携帯端末を用いて前記情報提供サーバにアクセスすると、検索コードを入力するための入力画面が前記携帯端末の画面に表示される。そして、ユーザが、リアル媒体に付記されている検索コードを前記入力画面に入力すれば、前記情報提供サーバが検索コードに関連付けられている詳細情報を前記携帯端末に送信する仕組みとなされている。
【０００８】
しかしながら、前記特許文献１に記載の情報提供システムを利用するためには、まず、ユーザが情報提供サーバにアクセスし、検索コードを入力するための入力画面を入手する必要がある。又、前記情報提供サーバには、詳細情報そのものが登録されていることから、詳細情報の登録数が多くなればサーバ負荷が高くなる。
【０００９】
本発明は、前記技術的課題を解決するために開発されたものであって、ユーザによる簡単な作業によって詳細情報が提供され得るようになされた新規な情報適用システムを提供することを目的とする。
【課題を解決するための手段】
【００１０】
前記技術的課題を解決する本発明の情報提供システムは、案内板や掲示板等の表示物又は紙媒体から選択されたリアル媒体と、情報提供サーバと、携帯端末と、を具備してなり、前記リアル媒体に掲示された一ないし複数の地理的表示各々に関する観光案内や道案内等の詳細情報が掲載されたウェブページを前記携帯端末の画面に表示する情報提供システムであって、前記リアル媒体に掲示された各地理的表示に、それぞれの内容に応じて付与された個別の検索コードが併記されてなり、前記情報提供サーバに備えられた登録手段に、複数のウェブページの位置情報が、各ウェブページに掲載されている詳細情報の内容に応じて決定された検索コードに関連付けて登録され、前記情報提供サーバに備えられた制御手段が、前記携帯端末から送信された検索コードに関連付けられた位置情報を前記携帯端末に送信する仕組みとなされ、前記携帯端末に、ネットワークを介して前記情報提供サーバに接続可能とするソフトウェアが備えられてなり、前記ソフトウェアが、前記携帯端末の画面に検索コードを入力するための入力画面を表示し、検索コードの入力後、自動的又は送信命令に応じて検索コードを前記情報提供サーバに送信し、前記情報提供サーバから位置情報が送信された場合には、該当する位置情報にアクセスし、取得したウェブページを前記携帯端末の画面に表示するようにプログラムされてなることを特徴とする（以下、「本発明システム」と称する。）。
【００１１】
本発明システムにおいては、前記情報提供サーバの登録手段には、一の詳細情報を複数の言語に翻訳することによって作成された複数のウェブページ各々の位置情報が同一の検索コードに紐づけて登録されており、前記情報提供サーバの制御手段が、前記携帯端末から送信された検索コードに紐づけて登録されている各位置情報の中から、前記携帯端末に設定されている言語条件及び地域条件のうちの一方の条件を第一の手がかりとして位置情報を抽出し、抽出された位置情報が一つの場合、抽出された位置情報を前記携帯端末に送信し、抽出された位置情報が複数の場合、前記携帯端末に設定されている言語条件及び地域条件のうちの残りの一方の条件を第二の手がかりとして一つの位置情報を選択し、前記携帯端末に送信するものが好ましい態様となる。
【００１２】
本発明システムにおいては、前記検索コードが複数のアラビア数字の組み合わせからなるものが好ましい態様となる。
【００１３】
本発明システムにおいては、前記携帯端末の送話部を通じての音声入力による検索コードの入力も受け付け得るように前記ソフトウェアがプログラムされてなるものが好ましい態様となる。
【発明の効果】
【００１４】
本発明によれば、ユーザによる簡単な作業によって詳細情報を提供することができる。
【図面の簡単な説明】
【００１５】
【図１】図１は、本発明システムの構成を示すブロック図である。
【図２】図２は、リアル媒体の一例を示す正面図である。
【図３】図３は、情報提供サーバにおける登録手段の格納構造を示す図である。
【図４】図４は、情報提供サーバにおける制御手段の処理手順を示すフローチャートである。
【図５】図５は、携帯端末に備えられたソフトウェアの処理手順を示すフローチャートである。
【図６】図６は、携帯端末の画面に入力画面が表示された状態を示す正面図である。
【図７】図７は、携帯端末の画面に詳細情報が表示された状態を示す正面図である。
【図８】図８は、情報提供サーバにおける登録手段の格納構造を示す図である。
【図９】図９は、登録手段に格納されたシーケンシャルファイルの格納状態を表示した図である。
【図１０】図１０は、情報提供サーバにおける制御手段の処理手順を示すフローチャートである。
【図１１】図１１は、携帯端末に備えられたソフトウェアの処理手順を示すフローチャートである。
【図１２】図１２は、情報提供サーバにおける制御手段の処理手順を示すフローチャートである。
【発明を実施するための形態】
【００１６】
以下、本発明の実施形態を説明するが、本発明はこの実施形態に限定されるものではない。
【００１７】
＜実施形態１＞
図１に示すように、本発明システム１は、リアル媒体２と、情報提供サーバ３と、携帯端末４と、を具備する。
【００１８】
‐リアル媒体２‐
前記リアル媒体２は、案内板や掲示板等の表示物又はパンフレットや広告等の紙媒体から選択される。本実施形態においては、前記リアル媒体２として観光地に設置された案内板を用いた。
【００１９】
図２に示すように、前記リアル媒体２には、一ないし複数の地理的表示（２ａ、２ｂ、２ｃ・・・）が掲示されている。なお、本発明において「地理的表示」とは、観光スポット、駅、道その他のランドマークが、前記リアル媒体２上において文字、写真、図表その他の手段を用いて表現された表示を意味する。
【００２０】
そして、本考案においては、前記リアル媒体２に掲示された各地理的表示（２ａ、２ｂ、２ｃ・・・）に対し、それぞれの内容に応じて付与された個別の検索コード２０が併記される。本実施形態においては、前記検索コード２０として、複数のアラビア数字（０〜９の英数字）の組み合わせを採用している。
【００２１】
‐情報提供サーバ３‐
前記情報提供サーバ３は、ネットワークＮＷに常時接続されているウェブサーバ用コンピュータであり、図示しない情報提供者（情報提供代行業者を含む。）がパソコン等の端末３０を用いて運営する。前記情報提供サーバ３の記憶装置（例えば、ハードディスク）には、登録手段３１（図３参照）と、制御手段３２（図４参照）と、が備えられている。
【００２２】
前記登録手段３１には、複数のウェブページの位置情報（例えば、ＵＲＬやＩＰアドレス）３１２が、各ウェブページに掲載されている詳細情報の内容に応じて、検索コード２０に関連付けて登録される。本実施形態においては、図３に示すように、前記登録手段３１に存する複数のホルダ３１０毎に、ウェブページの位置情報３１２を格納し、格納されたウェブページが保有する詳細情報に基づき、関連する地理的表示（２ａ、２ｂ、２ｃ・・・）に付した検索コード２０をホルダ名３１１として各ホルダ３１０に名付けた。従って、一の地理的表示（例えば、地理的表示２ａ）に付した検索コード（[０００‐０００‐０００１]）２０は、その地理的表示２ａに関する詳細情報を保有するウェブページの位置情報３１２を格納したホルダ３１０のホルダ名３１１と同一である。
【００２３】
前記制御手段３２は、携帯端末４から送信された検索コードに関連付けられた位置情報３１２を前記携帯端末４に送信する仕組みとなされている。
【００２４】
本実施形態においては、図４のフローチャートに示すように、前記制御手段３２が前記携帯端末４から送信された検索コード２０を受信すると（Ｓ１）、受信した検索コード２０と同じホルダ名３１１となされたホルダ３１０を選択し（Ｓ２）、選択されたホルダ３１０に格納されている位置情報３１２を前記携帯端末４に送信する（Ｓ３）。なお、受信した検索コード２０と同じホルダ名３１１となされたホルダ３１０が見つからなかった場合には、前記制御手段３２は、検索コード２０の入力間違いを知らせるエラー送信を前記携帯端末４に送信する（Ｓ４）。
【００２５】
‐携帯端末４‐
前記携帯端末４は、「携帯情報端末（ＰＤＡ）」や「スマートフォン」などと称される携帯式の小型機器であり、情報を閲覧したり、前記携帯端末４に命令を与えたりするためのタッチパネル式の画面４０を有する。
【００２６】
本発明においては、前記携帯端末４に、ネットワークＮＷを介して前記情報提供サーバ３に接続可能とするソフトウェア４１が備えられる。図５のフローチャートに示すように、このソフトウェア４１は、前記携帯端末４の画面４０に検索コード２０を入力するための入力画面を表示し（Ｓ１１）、検索コード２０の入力確認後（Ｓ１２）、送信命令に応じて（Ｓ１３）、検索コード２０を前記情報提供サーバ３に送信する（Ｓ１４）。前記情報提供サーバ３から位置情報３１２が送信された場合には（Ｓ１５）、該当する位置情報３１２にアクセスし（Ｓ１６）、ウェブページの情報取得後（Ｓ１７）、ウェブページを前記携帯端末４の画面に表示する（Ｓ１８）ようにプログラムされている。
【００２７】
なお、このソフトウェア４１は前記携帯端末４の出荷時点において予め前記携帯端末４に搭載されていても良いし、本発明システム１を利用するためのアプリケーションソフトとして、ダウンロード等によって後発的に前記携帯端末４に搭載されても良い。
【００２８】
前記構成を有する本発明システム１によれば、前記リアル媒体２に掲示された一ないし複数の地理的表示（２ａ、２ｂ、２ｃ・・・）各々に関連する観光案内や道案内等の詳細情報が掲載されたウェブページを前記携帯端末４の画面に表示することができる。
【００２９】
以下、前記携帯端末４のユーザが、前記本発明システム１を利用して、詳細情報を取得する手順を説明する。
【００３０】
まず、ユーザは、前記リアル媒体２としての案内板（図２参照）を見て、前記リアル媒体２上に掲示された各地理的表示（２ａ、２ｂ、２ｃ・・・）の中から、詳細情報を要する一の地理的表示（例えば、地理的表示２ａ）を選択する。選択された地理的表示２ａには、地理的表示２ａに固有の検索コード（[０００‐０００‐０００１]）２０が併記されており、ユーザはその検索コード２０を確認する。
【００３１】
次にユーザは、前記携帯端末４を操作することによって、前記情報提供サーバ３に接続可能とするソフトウェア４１を起動させる。図６に示すように、ソフトウェア４１の起動により、前記携帯端末４の画面４０には、入力画面が表示される。本実施形態において、入力画面はいわゆるテンキーの形態を有しており、画面４０に入力画面が表示された後、ユーザは画面４０上のテンキーにタッチすることによって確認した検索コード２０を入力し、入力後に送信ボタンＢにタッチする。
【００３２】
前記携帯端末４に対するユーザの操作によって、前記情報提供サーバ３に検索コード２０が送信される。検索コード２０を受信した前記情報提供サーバは、受信した検索コード２０と同じホルダ名３１１となされたホルダ３１０を選択し、選択されたホルダ３１０に格納されている位置情報３１２を前記携帯端末４に送信する（図４参照）。
【００３３】
前記情報提供サーバ３から送信された位置情報３１２を受け取った携帯端末４は、ソフトウェアのプログラムに準じて、該当する位置情報３１２にアクセスし（図５参照）、図７に示すように、取得したウェブページを前記携帯端末４の画面４０に表示する。
【００３４】
即ち、本発明システム１においては、前記情報提供サーバ３にネットワークを介して接続可能とするソフトウェアが前記携帯端末４に搭載されているから、本発明システム１を利用するにあたっては、係るソフトウェア４１を起動して、検索コード２０を入力するといった簡単な操作によって詳細情報を取得することができる。
【００３５】
又、前記情報提供サーバ３には、ウェブページそのものではなく、ウェブページの位置情報３１２を登録する仕組みとなされているから、サーバ負荷も比較的小さい。
【００３６】
更に、前記携帯端末４と前記情報提供サーバ３との間のデータ交換は、情報量の少ない検索コード２０及び位置情報３１２のやり取りとなるため、速やかな送受信が実現される。
【００３７】
なお、本実施形態においては、前記携帯端末４の画面４０に表示された入力画面に検索コード２０を入力した後、送信ボタンＢにタッチすることによって、前記情報提供サーバに検索コード２０が送信されるようになされているが、検索コード２０の入力後、自動的に前記情報提供サーバ３に検索コード２０が送信されるようにソフトウェア４１をプログラムしても良い。
【００３８】
又、本実施形態においては、検索コード２０として、複数のアラビア数字の組み合わせを採用しているが、検索コード２０はこの形態に限定されるものではなく、例えば、アルファベットや記号にて表記しても良いし、二次元バーコードを検索コード２０として利用しても良い。但し、本実施形態のように、複数のアラビア数字の組み合わせを検索コード２０とすると、国内外の万人に対する利便性が高くなるうえ、前記リアル媒体２から離れた位置からでも検索コード２０の視認が容易となる。
【００３９】
更に、本実施形態においては、検索コード２０の入力につき、前記携帯端末４の画面４０に表示された入力画面を介して行っているが、前記携帯端末４の送話部を通じての音声入力による検索コードの入力も受け付け得るようにソフトウェア４１がプログラムされていても良い。
【００４０】
＜実施形態２＞
実施形態２に係る本発明システム１も、リアル媒体２と、情報提供サーバ３と、携帯端末４と、を具備する（図１参照）。
【００４１】
‐リアル媒体２‐
本実施形態における前記リアル媒体２は、実施形態１において用いたもの（図２参照）と同様である。
【００４２】
‐情報提供サーバ３‐
実施形態２に係る前記情報提供サーバ３も、実施形態１に係る情報提供サーバ３と同様のネットワークＮＷに常時接続されているウェブサーバ用コンピュータであり、登録手段３１（図８参照）と、制御手段３２（図１０参照）と、が備えられている。
【００４３】
そして、前記登録手段３１には、複数のウェブページの位置情報（例えば、ＵＲＬやＩＰアドレス）３１２が、各ウェブページに掲載されている詳細情報の内容に応じて、検索コード２０に関連付けて登録される。
【００４４】
但し、本実施形態においては、前記登録手段３１に、一の詳細情報を複数の言語に翻訳することによって作成された複数のウェブページ各々の位置情報３１２が同一の検索コード２０に紐づけて登録されている。
【００４５】
具体的には、図８に示すように、前記登録手段３１に存する複数のホルダ３１０毎に、一の詳細情報を複数の言語に翻訳することによって作成された複数のウェブページ各々の位置情報３１２が紐づけて登録される。そして、本実施形態においては、この位置情報３１２の登録にあたり、図９に示すように、ウェブページの表記言語の情報（以下、「言語情報」と称する。）と、ウェブページの表記言語が専ら使われている地域の情報（以下、「地域情報」と称する。）と、を付した状態でシーケンシャルファイル３２０としてホルダ３１０に格納し、検索コード２０をホルダ名３１１として各ホルダ３１０に名付けた。従って、一の地理的表示（例えば、地理的表示２a）に付した検索コード（[０００‐０００‐０００１]）２０は、その地理的表示２ａに関する詳細情報を複数の言語に翻訳することによって作成された複数のウェブページ各々の位置情報を格納したホルダ３１０のホルダ名３１１と同一である。
【００４６】
前記制御手段３２は、携帯端末４から送信された検索コード２０に関連付けられた位置情報３１２を前記携帯端末４に送信する仕組みとなされている。
【００４７】
但し、本実施形態においては、前記制御手段３２が、前記携帯端末４から送信された検索コード２０に紐づけて登録されている各位置情報３１２の中から、前記携帯端末４に設定されている言語条件を第一の手がかりとして位置情報３１２を抽出し、抽出された位置情報３１２が一つの場合、抽出された位置情報３１２を前記携帯端末４に送信し、抽出された位置情報３１２が複数の場合、前記携帯端末４に設定されている地域条件を第二の手がかりとして一の位置情報３１２を選択し、前記携帯端末４に送信する。
【００４８】
具体的には、図１０のフローチャートに示すように、前記制御手段３２は、前記携帯端末４から送信された検索コード２０を受信すると（Ｓ１）、受信した検索コード２０と同じホルダ名３１１となされたホルダ３１０を選択する（Ｓ２）。
【００４９】
選択されたホルダ３１０には、表記言語の異なる複数のウェブページの位置情報３１２が格納されているため、前記制御手段３２は、まず、ホルダ３１０に存する複数の位置情報３１２の中から、前記携帯端末４に設定されている言語条件を第一の手がかりとして位置情報３１２を抽出する（Ｓ５）。即ち、前記制御手段３２は、シーケンシャルファイル３２０の中から前記携帯端末４に設定されている言語条件と合致する言語情報が付された位置情報３１２を抽出する。そして、抽出した位置情報３１２が一つの場合（Ｓ６）、制御手段３２は、抽出された一つの位置情報３１２を前記携帯端末４に送信する（Ｓ３）。
【００５０】
一方、抽出した位置情報３１２が複数の場合、制御手段３２は、更に、複数の位置情報３１２の中から、前記携帯端末４に設定されている地域条件を第二の手がかりとして一つの位置情報３１２を抽出する（Ｓ７）。即ち、前記制御手段３２は、前記携帯端末４に設定されている地域条件と合致する地域情報が付された一つの位置情報３１２を抽出し、抽出された一つの位置情報３１２を前記携帯端末４に送信する（Ｓ３）。
【００５１】
‐携帯端末４‐
前記実施形態１と同様、前記携帯端末４には、ネットワークＮＷを介して前記情報提供サーバ３に接続可能とするソフトウェア４１が備えられる。但し、図１１に示すように、本実施形態において用いられるソフトウェア４１は、検索コード２０の入力後（Ｓ１２）、送信命令に応じて（Ｓ１３）、検索コード２０を前記情報提供サーバ３に送信するとともに、前記携帯端末４に設定されている言語条件及び地域条件も前記情報提供サーバ３に送信（Ｓ１４）するようにプログラムされている。
【００５２】
以下、前記携帯端末４のユーザが、前記本発明システム１を利用して、詳細情報を取得する手順を説明する。
【００５３】
まず、ユーザは、前記リアル媒体２としての案内板（図２参照）を見て、前記リアル媒体２上に掲示された各地理的表示（２ａ、２ｂ、２ｃ・・・）の中から、詳細情報を要する一の地理的表示（例えば、地理的表示２ａ）を選択する。
【００５４】
選択された地理的表示２ａには、地理的表示２ａに固有の検索コード（[０００‐０００‐００１]）２０が併記されており、ユーザはその検索コード２０を確認する。
【００５５】
次にユーザは、前記携帯端末４を操作することによって、ソフトウェア４１を起動させ、前記携帯端末４の画面４０に入力画面を表示させる。ユーザは検索コード２０を入力し、送信ボタンＢにタッチする。
【００５６】
前記携帯端末４に対するユーザの操作によって、前記情報提供サーバ３に検索コード２０が送信される。検索コード２０を受信した前記情報提供サーバは、受信した検索コード２０と同じホルダ名３１１となされたホルダ３１０を選択する。選択されたホルダ３１０には、表記言語の異なる複数の位置情報３１２が格納されており、ホルダ３１０に存する複数の位置情報３１２の中から、前記携帯端末４に設定されている言語条件を第一の手がかりとして位置情報３１２を抽出する。抽出した位置情報３１２が一つの場合、制御手段３２は、抽出された一つの位置情報３１２を前記携帯端末４に送信する。
【００５７】
一方、抽出した位置情報３１２が複数の場合、制御手段３２は、更に、複数の位置情報３１２の中から、前記携帯端末４に設定されている地域条件を第二の手がかりとして一つの位置情報３１２を抽出し、抽出された一つの位置情報３１２を前記携帯端末４に送信する。
【００５８】
前記情報提供サーバ３から送信された位置情報３１２を受け取った携帯端末４は、ソフトウェア４１のプログラムに準じて、該当する位置情報３１２にアクセスし、取得したウェブページを前記携帯端末４の画面４０に表示する。
【００５９】
即ち、本実施形態に係る本発明システム１によれば、ユーザが専ら使用する言語にて表記された詳細情報を提供することができる。
【００６０】
例えば、英語は世界的に使用されている言語の一種であるが、地域毎に語彙、文法などが多少異なる。又、例えば中国では、中国国内の地域によって北京語、広州語、又は上海語などの複数の中国語が存在する。
【００６１】
従って、単に言語条件のみを判断することによって詳細情報が提供されると、ある地域のユーザにとっては、解読が困難となる場合がある。
【００６２】
この点につき、本実施形態に係る本発明システム１は、ユーザの有する携帯端末４に設定されている言語条件及び地域条件に鑑みて、ユーザが専ら使用する言語にて表記された詳細情報を提供することができるため、非常に利便性が高い。
【００６３】
なお、本実施形態においては、前記携帯端末４に設定されている言語条件を第一の手がかりとし、前記携帯端末４に設定されている地域条件を第二の手がかりとして位置情報３１２を抽出しているが、図１２に示すように、前記携帯端末４に設定されている地域条件を第一の手がかりとし、前記携帯端末４に設定されている言語条件を第二の手がかりとして位置情報３１２を抽出する仕組みとしても良い。
【００６４】
その余は、実施形態１と同様の説明となるため、繰り返しを避けるべくここでは説明を省略する。
【００６５】
本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００６６】
本発明は、案内板や掲示板等の表示物又は紙媒体から選択されたリアル媒体に掲示された地理的表示に関する観光案内や道案内等の詳細情報が掲載されたウェブページを携帯端末の画面に表示する情報提供システムとして利用される。
【符号の説明】
【００６７】
１  本発明システム（情報提供システム）
２  リアル媒体
２０  検索コード
３  情報提供サーバ
３１  登録手段
３１０  ホルダ
３１１  ホルダ名
３１２  位置情報
３２  制御手段
４  携帯端末
４０  画面
４１  ソフトウェア
【図１】
2017117060.tif 000003
【図２】
2017117060.tif 000004
【図３】
2017117060.tif 000005
【図４】
2017117060.tif 000006
【図５】
2017117060.tif 000007
【図６】
2017117060.tif 000008
【図７】
2017117060.tif 000009
【図８】
2017117060.tif 000010
【図９】
2017117060.tif 000011
【図１０】
2017117060.tif 000012
【図１１】
2017117060.tif 000013
【図１２】
2017117060.tif 000014